(57)【特許請求の範囲】
【請求項１】
ＤＣフリー変調の変調信号が記録された記録媒体から読み取られるＲＦ信号を供給されて前記変調信号を再生する信号再生回路において、
前記ＲＦ信号を固定の閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記ＲＦ信号と前記第１積分手段で得られた低域成分とを加算して前記比較手段に供給する加算手段とを
有することを特徴とする信号再生回路。
【請求項２】
ＤＣフリー変調の変調信号が記録された記録媒体から読み取られるＲＦ信号を供給されて前記変調信号を再生する信号再生回路において、
前記ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
固定の基準値から前記第１積分手段で得られた低域成分を減算して閾値として前記比較手段に供給する減算手段とを
有することを特徴とする信号再生回路。
【請求項３】
ＤＣフリー変調の変調信号が記録された記録媒体から読み取られるＲＦ信号を供給されて前記変調信号を再生する信号再生回路において、
前記ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記ＲＦ信号に前記第１積分手段で得た低域成分を加算して前記比較手段に供給する加算手段と、
前記２値化信号を積分して前記比較手段の閾値を生成する第２積分手段とを
有することを特徴とする信号再生回路。
【請求項４】
ＤＣフリー変調の変調信号が記録された記録媒体から読み取られるＲＦ信号を供給されて前記変調信号を再生する信号再生回路において、
前記ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記２値化信号から前記第１積分手段で得た低域成分を減算した後、積分して前記比較手段の閾値を生成する第３積分手段とを
有することを特徴とする信号再生回路。
【請求項５】
請求項３または４記載の信号再生回路において、
前記弁別手段で再生かつ補正された変調信号を等化して前記第１積分手段に供給する等化手段を
有することを特徴とする信号再生回路。
【請求項６】
請求項１乃至５のいずれか記載の信号再生回路において、
前記記録媒体から読み取られたＲＦ信号は、直流成分を除去して供給されることを特徴とする信号再生回路。
【発明の詳細な説明】
【０００１】
【発明の属する技術分野】
本発明は信号再生回路に関し、特に、情報が記録された光ディスク等の記録媒体を再生する装置に用いられ信号を再生する信号再生回路に関する。
【０００２】
【従来の技術】
ディジタル信号を記録した光ディスクとして例えばコンパクトディスク（ＣＤ）がある。コンパクトディスクに記録されるディジタル信号の変調方式としてＥＦＭが用いられている。ＥＦＭ（Ｅｉｇｈｔ  ｔｏ  Ｆｏｕｒｔｅｅｎ  Ｍｏｄｕｌａｔｉｏｎ）は、誤り訂正符号ＣＩＲＣを含む各シンボル８ビットを１４チャネルビットからなるパターンに変換し、その後、各パターンの間に３チャネルビットのマージンビットを付加して、パルス幅が３Ｔ〜１１Ｔの中にあるというＥＦＭルールを満足させ、かつ、信号自体の持つ低域成分を低減させて基本的には低域成分を０としている。このため、ＥＦＭはＤＣフリー変調信号と呼ばれている。なお、基準時間幅Ｔは標準速度（１倍速）にて周波数４．３２ＭＨｚの１周期であり、約２３０ｎｓｅｃである。
【０００３】
図７は、従来の信号再生回路の一例のブロック図を示す。同図中、端子１０には、所定の回転速度で回転駆動される光ディスクに光ピックアップのレーザダイオードからレーザ光を照射し、その反射光を光ピックアップの光検出器で検出して得られた再生ＲＦ信号が入力され、高域フィルタとしてのコンデンサ１１で直流成分を除去されてコンパレータ１２の非反転入力端子に供給される。コンパレータ１２の反転入力端子には基準電圧源１３から固定の閾値Ｖｔｈ０が供給されており、コンパレータ１２はＲＦ信号を閾値Ｖｔｈ０と比較することにより２値化する。この２値化信号はＰＬＬ（Ｐｈａｓｅ  Ｌｏｃｋｅｄ  Ｌｏｏｐ）及びディテクタ１６に供給される。
【０００４】
ＰＬＬ及びディテクタ１６は、ＰＬＬで供給される２値化信号に同期したクロックＰＣＬＫを生成して端子１８より出力すると共に、ディテクタで上記クロックＰＣＬＫを基準に定められた検出窓で再生パルスの有無を検出することにより信号ＲＥＦＭを弁別再生し端子１９より出力する。
【０００５】
図８は、従来の信号再生回路の他例のブロック図を示す。同図中、端子１０には、所定の回転速度で回転駆動される光ディスクに光ピックアップのレーザダイオードからレーザ光を照射し、その反射光を光ピックアップの光検出器で検出して得られた再生ＲＦ信号が入力され、高域フィルタとしてのコンデンサ１１で直流成分を除去されてコンパレータ１２の非反転入力端子に供給される。コンパレータ１２の反転入力端子には低域フィルタ及びアンプ１４から閾値Ｖｔｈ１が供給されており、コンパレータ１２はＲＦ信号を閾値Ｖｔｈ１と比較することにより２値化する。この２値化信号は低域フィルタ及びアンプ１４とＰＬＬ及びディテクタ１６と供給される。
【０００６】
低域フィルタ及びアンプ１４は２値化信号を積分したのち所定ゲインで増幅することにより閾値Ｖｔｈ１を生成してコンパレータ１２に供給する。コンパレータ１２と低域フィルタ及びアンプ１４はアシンメトリ補正回路１５を構成しており、２値化信号のハイレベル期間とローレベル期間とが総和として等しくなるように閾値Ｖｔｈ１を決定している。このアシンメトリ補正回路１５の応答特性は低域フィルタ及びアンプ１４の時定数とゲイン、及びＲＦ信号振幅、及びコンパレータ１２の出力電圧を調整して最適化される。
【０００７】
ＰＬＬ及びディテクタ１６は、ＰＬＬで供給される２値化信号に同期したクロックＰＣＬＫを生成して端子１８より出力すると共に、ディテクタで上記クロックＰＣＬＫを基準に定められた検出窓で再生パルスの有無を検出することにより信号ＲＥＦＭを弁別再生し端子１９より出力する。
【０００８】
【発明が解決しようとする課題】
ＥＦＭ信号の各パターンの間に付加されるマージンビットは、パルス幅が３Ｔ〜１１Ｔの中にあるというＥＦＭルールを満足させ、かつ、ＤＳＶ（Ｄｉｇｉｔａｌ  Ｓｕｍ  Ｖａｒｉａｔｉｏｎ）を計算して低域成分が極力少なくなるように選択されるが、この付加ビットだけでは１フレーム単位でこの低域成分（ＤＳＶエラー成分）を完全に除去することはできない。なお、図９（Ａ）に低域成分（ＤＳＶエラー成分）の波形を示す。
【０００９】
本来、再生ＲＦ信号のエンベロープは上下に変動することはないのであるが、コンデンサ１１によって上記の低域成分（ＤＳＶエラー成分）が除去されるために、コンデンサ１１の出力するＲＦ信号のエンベロープは上下に変動し、ＲＦ信号に低域成分（ＤＳＶエラーの反転成分）が含まれてしまう。このために、コンパレータ１２における２値化時に再生ジッタが発生し、コンパレータ１２の出力する２値化信号は低域成分（ＤＳＶエラー成分）を含んだものとなるという問題があった。
【００１０】
また、図８に示す従来回路のアシンメトリ補正回路１５では、光ディスク表面の傷、汚れ、反射率むらに追随して正確にＲＦ信号を２値化するため、応答時定数をＥＦＭ周波数成分と干渉しない程度の範囲で充分高く設定している。このため、コンデンサ１１の出力するＲＦ信号に含まれる上記低域成分にアシンメトリ補正回路１５が応答して、コンパレータ１２に供給される閾値Ｖｔｈ１は図９（Ｂ）に示すように上記の低域成分に応答して変動し、この閾値Ｖｔｈ１の変動によって再生ジッタが劣化するという問題があった。
【００１１】
本発明は、上記の点に鑑みなされたもので、ＤＣフリー変調の変調信号に含まれる低域成分に起因する再生ジッタを低減することができる信号再生回路を提供することを目的とする。
【００１２】
【課題を解決するための手段】
請求項１に記載の発明は、ＤＣフリー変調の変調信号が記録された記録媒体から読み取られるＲＦ信号を供給されて前記変調信号を再生する信号再生回路において、
前記ＲＦ信号を固定の閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記ＲＦ信号と前記第１積分手段で得られた低域成分とを加算して前記比較手段に供給する加算手段とを有するため、
第１積分手段で低域成分を正確かつ容易に得ることができ、ＲＦ信号に低域成分が重畳されるためにＲＦ信号のエンベロープの上下変動がなくなり、２値化時に発生する再生ジッタを低減できる。
【００１３】
請求項２に記載の発明は、ＤＣフリー変調の変調信号が記録された記録媒体から読み取られるＲＦ信号を供給されて前記変調信号を再生する信号再生回路において、
前記ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
固定の基準値から前記第１積分手段で得られた低域成分を減算して閾値として前記比較手段に供給する減算手段とを有するため、
エンベロープが上下変動するＲＦ信号と同様に閾値が変動することから低域成分が相殺され、コンパレータにおける再生ジッタの発生を低減できる。
【００１４】
請求項３に記載の発明は、ＤＣフリー変調の変調信号が記録された記録媒体から読み取られるＲＦ信号を供給されて前記変調信号を再生する信号再生回路において、
前記ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記ＲＦ信号に前記第１積分手段で得た低域成分を加算して前記比較手段に供給する加算手段と、
前記２値化信号を積分して前記比較手段の閾値を生成する第２積分手段とを有するため、
エンベロープが上下変動するＲＦ信号に、低域成分が加算により重畳されてＲＦ信号のエンベロープの上下変動がなくなり、コンパレータにおける２値化時に発生する再生ジッタを低減できる。
【００１５】
請求項４に記載の発明は、ＤＣフリー変調の変調信号が記録された記録媒体から読み取られるＲＦ信号を供給されて前記変調信号を再生する信号再生回路において、
前記ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記２値化信号から前記第１積分手段で得た低域成分を減算した後、積分して前記比較手段の閾値を生成する第３積分手段とを有するため、
直流成分を除去されエンベロープが上下変動するＲＦ信号と同様に閾値が変動することから、低域成分が相殺され、コンパレータにおける再生ジッタの発生を低減できる。
【００１６】
請求項５に記載の発明は、請求項３または４記載の信号再生回路において、
前記弁別手段で再生かつ補正された変調信号を等化して前記第１積分手段に供給する等化手段を有するため、
変調信号を波形等化により、記録媒体から読み取られたＲＦ信号と同等の波形にすることによって、高い精度で低域成分を得ることができ、より大きいジッタ低減効果を得ることができる。
【００１７】
【発明の実施の形態】
図１は、本発明の信号再生回路の第１実施例のブロック図を示す。同図中、端子２０には、所定の回転速度で回転駆動される光ディスクに光ピックアップのレーザダイオードからレーザ光を照射し、その反射光を光ピックアップの光検出器で検出して得られた再生ＲＦ信号が入力され、高域フィルタとしてのコンデンサ２１で直流成分を除去されて加算回路２２に供給される。加算回路２２では、直流成分を除去されたＲＦ信号に低域フィルタ及びアンプ３０の出力を加算してコンパレータ２４の非反転入力端子に供給する。
【００１８】
コンパレータ２４の反転入力端子には基準電圧源２６から図９（Ｃ）に示す固定値の閾値Ｖｔｈ０が供給されており、コンパレータ２４はＲＦ信号を閾値Ｖｔｈ０と比較することにより２値化する。この２値化信号はＰＬＬ及びディテクタ２８に供給される。
【００１９】
ＰＬＬ及びディテクタ２８は、ＰＬＬでコンパレータ２４から供給される２値化信号に同期したクロックＰＣＬＫを生成して端子３２より出力すると共に、ディテクタで上記クロックＰＣＬＫを基準に定められた検出窓で再生パルスの有無を検出することにより信号ＲＥＦＭを弁別再生する。この信号ＲＥＦＭは端子３４から出力されると共に、低域フィルタ及びアンプ３０に供給される。
【００２０】
ここで、再生ＲＦ信号のエンベロープは上下に変動することはないのであるが、コンデンサ２１によって上記の低域成分（ＤＳＶエラー成分）が除去されるために、コンデンサ２１の出力するＲＦ信号のエンベロープは上下に変動し、ＲＦ信号に低域成分（ＤＳＶエラーの反転成分）が含まれてしまう。なお、図９（Ａ）に低域成分（ＤＳＶエラー成分）の波形を示す。
【００２１】
低域フィルタ及びアンプ３０は、クロックＰＣＬＫに同期して時間軸方向に補正された信号ＲＥＦＭを積分したのち所定ゲインで増幅することにより、図９（Ａ）に示す低域成分（ＤＳＶエラー成分）を抽出して加算回路２２に供給する。
【００２２】
このため、加算回路２２では、コンデンサ２１の出力する低域成分（ＤＳＶエラー成分）が除去され上下変動するＲＦ信号に、低域フィルタ及びアンプ３０から供給される低域成分（ＤＳＶエラー成分）が加算により重畳され、コンパレータ２４に供給されるＲＦ信号のエンベロープの上下変動がなくなる。これによって、コンパレータ２４における２値化時に発生する再生ジッタを低減できる。
【００２３】
図２は、本発明の信号再生回路の第２実施例のブロック図を示す。同図中、図１と同一部分には同一符号を付す。図２において、端子２０には、所定の回転速度で回転駆動される光ディスクに光ピックアップのレーザダイオードからレーザ光を照射し、その反射光を光ピックアップの光検出器で検出して得られた再生ＲＦ信号が入力され、高域フィルタとしてのコンデンサ２１で直流成分を除去されてコンパレータ２４の非反転入力端子に供給される。
【００２４】
コンパレータ２４の反転入力端子には減算回路３６より閾値が供給されており、コンパレータ２４はＲＦ信号を閾値と比較することにより２値化する。この２値化信号はＰＬＬ及びディテクタ２８に供給される。
【００２５】
ＰＬＬ及びディテクタ２８は、ＰＬＬでコンパレータ２４から供給される２値化信号に同期したクロックＰＣＬＫを生成して端子３２より出力すると共に、ディテクタで上記クロックＰＣＬＫを基準に定められた検出窓で再生パルスの有無を検出することにより信号ＲＥＦＭを弁別再生する。この信号ＲＥＦＭは端子３４から出力されると共に、低域フィルタ及びアンプ３０に供給される。
【００２６】
ここで、再生ＲＦ信号のエンベロープは上下に変動することはないのであるが、コンデンサ２１によって上記の低域成分（ＤＳＶエラー成分）が除去されるために、コンデンサ２１の出力するＲＦ信号のエンベロープは上下に変動し、ＲＦ信号に低域成分（ＤＳＶエラーの反転成分）が含まれてしまう。なお、図９（Ａ）に低域成分（ＤＳＶエラー成分）の波形を示す。
【００２７】
低域フィルタ及びアンプ３０は、クロックＰＣＬＫに同期して時間軸方向に補正された信号ＲＥＦＭを積分したのち所定ゲインで増幅することにより、図９（Ａ）に示す低域成分（ＤＳＶエラー成分）を抽出して減算回路３６に供給する。減算回路３６では、基準電圧源２６より供給される図９（Ｃ）に示す固定値の閾値Ｖｔｈ０から、低域フィルタ及びアンプ３０より供給される低域成分（ＤＳＶエラー成分）を減算することにより重畳し閾値を変動させてコンパレータ２４の反転入力端子に供給する。従って、コンパレータ２４において、直流成分を除去されエンベロープが上下変動するＲＦ信号と同様に閾値が変動することから低域成分（ＤＳＶエラー成分）が相殺され、コンパレータ２４における再生ジッタの発生を低減できる。
【００２８】
図３は、本発明の信号再生回路の第３実施例のブロック図を示す。同図中、図１と同一部分には同一符号を付す。図３において、端子２０には、所定の回転速度で回転駆動される光ディスクに光ピックアップのレーザダイオードからレーザ光を照射し、その反射光を光ピックアップの光検出器で検出して得られた再生ＲＦ信号が入力され、高域フィルタとしてのコンデンサ２１で直流成分を除去されて加算回路２２に供給される。加算回路２２では、直流成分を除去されたＲＦ信号に低域フィルタ及びアンプ３０の出力を加算してコンパレータ２４の非反転入力端子に供給する。
【００２９】
コンパレータ２４の反転入力端子には低域フィルタ及びアンプ３８から閾値が供給されており、コンパレータ２４は加算回路２２の出力信号を閾値と比較することにより２値化する。この２値化信号は低域フィルタ及びアンプ３８及びＰＬＬ及びディテクタ２８に供給される。
【００３０】
ＰＬＬ及びディテクタ２８は、ＰＬＬで供給される２値化信号に同期したクロックＰＣＬＫを生成して端子３２より出力すると共に、ディテクタで上記クロックＰＣＬＫを基準に定められた検出窓で再生パルスの有無を検出することにより信号ＲＥＦＭを弁別再生する。この信号ＲＥＦＭは端子３４から出力されると共に、低域フィルタ及びアンプ３０に供給される。
【００３１】
ここで、再生ＲＦ信号のエンベロープは上下に変動することはないのであるが、コンデンサ２１によって上記の低域成分（ＤＳＶエラー成分）が除去されるために、コンデンサ２１の出力するＲＦ信号のエンベロープは上下に変動し、ＲＦ信号に低域成分（ＤＳＶエラーの反転成分）が含まれてしまう。なお、図９（Ａ）に低域成分（ＤＳＶエラー成分）の波形を示す。
【００３２】
低域フィルタ及びアンプ３０は、クロックＰＣＬＫに同期して時間軸方向に補正された信号ＲＥＦＭを積分したのち所定ゲインで増幅することにより、図９（Ａ）に示す低域成分（ＤＳＶエラー成分）を抽出して加算回路２２に供給する。
【００３３】
低域フィルタ及びアンプ３８は、コンパレータ２４と共にアシンメトリ補正回路を構成しており、低域フィルタ及びアンプ３８は２値化信号を積分したのち所定ゲインで増幅することにより、２値化信号のハイレベル期間とローレベル期間とが総和として等しくなるようにして、閾値を生成しコンパレータ２４に供給する。コンパレータ２４では、光ディスク表面の傷、汚れ、反射率むらに追随して正確にＲＦ信号を２値化するため、低域フィルタ及びアンプ２６の応答時定数はＥＦＭ周波数成分と干渉しない程度に充分高く設定している。
【００３４】
加算回路２２では、コンデンサ２１の出力する低域成分（ＤＳＶエラー成分）が除去されエンベロープが上下変動するＲＦ信号に、低域フィルタ及びアンプ３０から供給される低域成分（ＤＳＶエラー成分）が加算により重畳され、コンパレータ２４に供給されるＲＦ信号のエンベロープの上下変動がなくなる。これによって、コンパレータ２４における２値化時に発生する再生ジッタを低減できる。
【００３５】
図４は、本発明の信号再生回路の第４実施例のブロック図を示す。同図中、図１と同一部分には同一符号を付す。図４において、端子２０には、所定の回転速度で回転駆動される光ディスクに光ピックアップのレーザダイオードからレーザ光を照射し、その反射光を光ピックアップの光検出器で検出して得られた再生ＲＦ信号が入力され、高域フィルタとしてのコンデンサ２１で直流成分を除去されてコンパレータ２４の非反転入力端子に供給される。
【００３６】
コンパレータ２４の反転入力端子には低域フィルタ及びアンプ４０より閾値が供給されており、コンパレータ２４はＲＦ信号を閾値と比較することにより２値化する。この２値化信号はＰＬＬ及びディテクタ２８と低域フィルタ及びアンプ４０に供給される。
【００３７】
ＰＬＬ及びディテクタ２８は、ＰＬＬで供給される２値化信号に同期したクロックＰＣＬＫを生成して端子３２より出力すると共に、ディテクタで上記クロックＰＣＬＫを基準に定められた検出窓で再生パルスの有無を検出することにより信号ＲＥＦＭを弁別再生する。この信号ＲＥＦＭは端子３４から出力されると共に、低域フィルタ及びアンプ３０に供給される。
【００３８】
ここで、再生ＲＦ信号のエンベロープは上下に変動することはないのであるが、コンデンサ２１によって上記の低域成分（ＤＳＶエラー成分）が除去されるために、コンデンサ２１の出力するＲＦ信号のエンベロープは上下に変動し、ＲＦ信号に低域成分（ＤＳＶエラーの反転成分）が含まれてしまう。なお、図９（Ａ）に低域成分（ＤＳＶエラー成分）の波形を示す。
【００３９】
低域フィルタ及びアンプ３０は、クロックＰＣＬＫに同期して時間軸方向に補正された信号ＲＥＦＭを積分したのち所定ゲインで増幅することにより、図９（Ａ）に示す低域成分（ＤＳＶエラー成分）を抽出して低域フィルタ及びアンプ４０に供給する。
【００４０】
低域フィルタ及びアンプ４０は、コンパレータ２４と共にアシンメトリ補正回路を構成しており、低域フィルタ及びアンプ４０はコンパレータ２４出力の２値化信号から低域フィルタ及びアンプ３０の出力（ＤＳＶエラー成分）を減算したのち積分し、更に所定ゲインで増幅することにより、２値化信号のハイレベル期間とローレベル期間とが総和として等しくなるようにして、閾値を生成しコンパレータ２４に供給する。コンパレータ２４では、光ディスク表面の傷、汚れ、反射率むらに追随して正確にＲＦ信号を２値化するため、低域フィルタ及びアンプ２６の応答時定数はＥＦＭ周波数成分と干渉しない程度に充分高く設定している。
【００４１】
このため、コンパレータ２４において、直流成分を除去されエンベロープが上下変動するＲＦ信号と同様に閾値が変動することから、低域成分（ＤＳＶエラー成分）が相殺され、コンパレータ２４における再生ジッタの発生を低減できる。
【００４２】
図５は、本発明の信号再生回路の第５実施例のブロック図を示す。この実施例は図３に示す実施例にイコライザ４２を追加したものであり、図５中、図３と同一部分には同一符号を付し、その説明を省略する。図５において、ＰＬＬ及びディテクタ２８の出力する信号ＲＥＦＭは端子３４から出力されると共に、イコライザ４２に供給される。イコライザ４２は信号ＲＥＦＭの波形等化を行って低域フィルタ及びアンプ３０に供給する。
【００４３】
この実施例においても、加算回路２２では、コンデンサ２１の出力する低域成分（ＤＳＶエラー成分）が除去されエンベロープが上下変動するＲＦ信号に、低域フィルタ及びアンプ３０から供給される低域成分（ＤＳＶエラー成分）が加算により重畳され、コンパレータ２４に供給されるＲＦ信号のエンベロープの上下変動がなくなる。これによって、コンパレータ２４における２値化時に発生する再生ジッタを低減できる。また、ＲＥＦＭ信号を波形等化により、記録媒体から読み取られたＲＦ信号と同等の波形にすることによって、高い精度でＤＳＶエラー成分を得ることができ、より大きいジッタ低減効果を得ることができる。
【００４４】
図６は、本発明の信号再生回路の第６実施例のブロック図を示す。この実施例は図４に示す実施例にイコライザ４２を追加したものであり、図６中、図４と同一部分には同一符号を付し、その説明を省略する。図６において、ＰＬＬ及びディテクタ２８の出力する信号ＲＥＦＭは端子３４から出力されると共に、イコライザ４２に供給される。イコライザ４２は信号ＲＥＦＭの波形等化を行って低域フィルタ及びアンプ３０に供給する。
【００４５】
この実施例においても、コンパレータ２４において、直流成分を除去され上下変動するＲＦ信号と同様に閾値が変動することから、低域成分（ＤＳＶエラー成分）が相殺され、コンパレータ２４における再生ジッタの発生を低減できる。また、ＲＥＦＭ信号を波形等化により、記録媒体から読み取られたＲＦ信号と同等の波形にすることによって、高い精度でＤＳＶエラー成分を得ることができ、より大きいジッタ低減効果を得ることができる。
【００４６】
なお、本発明は、ＣＤ再生装置に限らず、ＣＤ−ＲやＣＤ−ＲＷ等の記録再生装置に適用しても良く上記実施例に限定されない。また、上記実施例ではコンデンサ２１を用いて再生ＲＦ信号の直流成分を除去しているが、コンデンサ２１の代わりに高域フィルタを用いても良い。また、図４，図６に示すアシンメトリ補正回路を持つ回路構成では、コンデンサ２１は原理的には必要ないが、コンデンサ２１があれば事前に低域成分のほとんどがカットされ、アシンメトリ補正回路通過後の直流成分残留誤差をより低減できる。
【００４７】
なお、コンパレータ２４が請求項記載の比較手段に対応し、ＰＬＬ及びディテクタ２８が弁別手段に対応し、低域フィルタ及びアンプ３０が第１積分手段に対応し、低域フィルタ及びアンプ３８が第２積分手段に対応し、低域フィルタ及びアンプ４０が第３積分手段に対応し、加算回路２２が加算手段に対応し、減算回路３６が減算手段に対応し、イコライザ４２が等化手段に対応する。
【００４８】
【発明の効果】
上述の如く、請求項１に記載の発明は、ＲＦ信号を固定の閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正変調信号を積分して前記ＤＣフリー変調の変調信号に含まれる低域成分を得る第１積分手段と、
前記ＲＦ信号と前記第１積分手段で得られた低域成分とを加算して前記比較手段に供給する加算手段とを有するため、第１積分手段で低域成分を正確かつ容易に得ることができ、ＲＦ信号に低域成分が重畳されるためにＲＦ信号のエンベロープの上下変動がなくなり、２値化時に発生する再生ジッタを低減できる。
【００４９】
請求項２に記載の発明は、ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
固定の基準値から前記第１積分手段で得られた低域成分を減算して閾値として前記比較手段に供給する減算手段とを有するため、エンベロープが上下変動するＲＦ信号と同様に閾値が変動することから低域成分が相殺され、コンパレータにおける再生ジッタの発生を低減できる。
【００５０】
請求項３に記載の発明は、ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記ＲＦ信号に前記第１積分手段で得た低域成分を加算して前記比較手段に供給する加算手段と、
前記２値化信号を積分して前記比較手段の閾値を生成する第２積分手段とを有するため、エンベロープが上下変動するＲＦ信号に、低域成分が加算により重畳されてＲＦ信号のエンベロープの上下変動がなくなり、コンパレータにおける２値化時に発生する再生ジッタを低減できる。
【００５１】
請求項４に記載の発明は、ＲＦ信号を閾値と比較して２値化信号を出力する比較手段と、
前記２値化信号からクロックを再生すると共に、再生したクロックに同期して時間軸方向に補正された変調信号を再生する弁別手段と、
前記弁別手段で再生かつ補正された変調信号を積分して前記ＤＣフリー変調の変調信号に含まれる低域成分を得る第１積分手段と、
前記２値化信号から前記第１積分手段で得た低域成分を減算した後、積分して前記比較手段の閾値を生成する第３積分手段とを有するため、直流成分を除去されエンベロープが上下変動するＲＦ信号と同様に閾値が変動することから、低域成分が相殺され、コンパレータにおける再生ジッタの発生を低減できる。
【００５２】
請求項５に記載の発明は、弁別手段で再生かつ補正された変調信号を等化して前記第１積分手段に供給する等化手段を有するため、変調信号を波形等化により、記録媒体から読み取られたＲＦ信号と同等の波形にすることによって、高い精度で低域成分を得ることができ、より大きいジッタ低減効果を得ることができる。
【図面の簡単な説明】
【図１】本発明の信号再生回路の第１実施例のブロック図である。
【図２】本発明の信号再生回路の第２実施例のブロック図である。
【図３】本発明の信号再生回路の第３実施例のブロック図である。
【図４】本発明の信号再生回路の第４実施例のブロック図である。
【図５】本発明の信号再生回路の第５実施例のブロック図である。
【図６】本発明の信号再生回路の第６実施例のブロック図である。
【図７】従来の信号再生回路の一例のブロック図である。
【図８】従来の信号再生回路の他例のブロック図である。
【図９】本発明及び従来の回路各部における信号波形図である。
【符号の説明】
２１  コンデンサ
２２  加算回路
２４  コンパレータ
２６  基準電圧源
２８  ＰＬＬ及びディテクタ
３０，３８，４０  低域フィルタ及びアンプ
３６  減算回路
４２  イコライザ
【図１】
0003736337.tif 000002
【図２】
0003736337.tif 000003
【図３】
0003736337.tif 000004
【図４】
0003736337.tif 000005
【図５】
0003736337.tif 000006
【図６】
0003736337.tif 000007
【図７】
0003736337.tif 000008
【図８】
0003736337.tif 000009
【図９】
0003736337.tif 000010